(57)【要約】【課題】仮に、熱に弱い部品が故障した場合でも、部品パッケージを取り替えることにより新たな熱に弱い部品を装着することができ、容易に修理を行うことができるようにすることを目的とする。【解決手段】この発明に係る電球形蛍光ランプは、ランプを収納するグローブ２と、基板３とインバータ回路部品７とを収納するカバー部４０と、このカバー部４０に設けられ、開口したパッケージ装着部と、このパッケージ装着部に装着され、インバータ回路部品７の中、電解コンデンサ５を電解コンデンサ５の周囲に空気層を設けて収容する部品パッケージ４２とを備えたことを特徴とする。【選択図】図６
2008218424.tif 000002
【特許請求の範囲】
【請求項１】
ランプを収納するグローブと、
基板とインバータ回路部品とを収納するカバー部と、
このカバー部に設けられ、開口したパッケージ装着部と、
このパッケージ装着部に装着され、前記インバータ回路部品の中、熱に弱い部品を該熱に弱い部品の周囲に空気層を設けて収容する部品パッケージとを備えたことを特徴とする電球形蛍光ランプ。
【請求項２】
前記熱に弱い部品は、電解コンデンサであることを特徴とする請求項１記載の電球形蛍光ランプ。
【発明の詳細な説明】
【技術分野】
【０００１】
この発明は、電球形蛍光ランプに関するものである。特に、異なる消費電力を持つ電球形蛍光ランプの共通部品を一体化し、消費電力により異なる部品を装着することにより、電球形蛍光ランプの消費電力を自由に選択することができる発明に関するものである。
【背景技術】
【０００２】
図７は、従来の電球形蛍光ランプを示す図である。
ランプ１は、グローブ２に収納されている。また、基板３とインバータ回路部品７がカバー部４に収納されている。口金６は、カバー部４の上に取り付けられている。
【０００３】
従来の電球形蛍光ランプに内蔵されるインバータ回路は、ランプの消費電力（ワット数又は明るさ）に応じてインバータ回路を設計し、個別に製品を組み上げてきた。従って、できあがった製品の明るさを変えることはできない。例えば、消費電力が１０ワットで製造された蛍光ランプを他の消費電力の蛍光ランプ、例えば、１４ワット、１８ワット又は２３ワットの蛍光ランプに変更することはできない。
【特許文献１】特開昭５７−１８２９０２号公報
【特許文献２】特開昭６３−１０５４０３号公報
【特許文献３】特開平０９−１９８９１５号公報
【特許文献４】特開平０４−１２６３４９号公報
【発明の開示】
【発明が解決しようとする課題】
【０００４】
従来の電球形蛍光ランプは、製造時点から消費電力に応じて製品が製造されているため、一度完成した製品の消費電力を変更するということができないという課題があった。
また、消費電力に応じて生産ラインを切り換えなければならないという課題があった。
【０００５】
この発明は、以上のような課題を解決するためになされたものであり、電球形蛍光ランプにおいて、１０ワット、１４ワット、１８ワット、２３ワット等の消費電力が異なる場合においても、一度製品にした電球形蛍光ランプの値を変更することができる電球形蛍光ランプを提供することを目的とする。
【０００６】
また、組み立てラインを変更することなく、消費電力の異なる電球形蛍光ランプを製造できるようにすることを目的とする。
【０００７】
また、仮に、熱に弱い部品が故障した場合でも、部品パッケージを取り替えることにより新たな熱に弱い部品を装着することができ、容易に修理を行うことができるようにすることを目的とする。
【課題を解決するための手段】
【０００８】
この発明に係る電球形蛍光ランプは、
ランプを収納するグローブと、
基板とインバータ回路部品とを収納するカバー部と、
このカバー部に設けられ、開口したパッケージ装着部と、
このパッケージ装着部に装着され、インバータ回路部品の中、熱に弱い部品を熱に弱い部品の周囲に空気層を設けて収容する部品パッケージとを備えたことを特徴とする。
【０００９】
この発明に係る電球形蛍光ランプは、熱に弱い部品が、電解コンデンサであることを特徴とする。
【発明の効果】
【００１０】
この発明に係る電球形蛍光ランプは、インバータ回路部品の中、熱に弱い部品を熱に弱い部品の周囲に空気層を設けて収容する部品パッケージをパッケージ装着部に装着することにより、仮に、熱に弱い部品が故障した場合でも、部品パッケージを取り替えることにより新たな熱に弱い部品を装着することができ、容易に修理をすることができる。
【００１１】
この発明に係る電球形蛍光ランプは、仮に、電解コンデンサが故障した場合でも、部品パッケージを取り替えることにより新たな電解コンデンサを装着することができ、容易に修理をすることができる。
【発明を実施するための最良の形態】
【００１２】
実施の形態１．
図１は、この発明の電球形蛍光ランプを示す図である。
従来例と異なる点は、カバー部４に、開口されたパッケージ装着口４１（パッケージ装着部）を設け、パッケージ装着口４１から部品パッケージ４２をカバー部４の外部から装着可能とした点である。
【００１３】
図２は、部品パッケージ４２の一例を示す図である。
【００１４】
図３は、図１に示した電球形蛍光ランプの上部断面図である。
【００１５】
カバー部４０は、１０，１４，１８，２３ワットに共通に用いられるインバータ回路部品７を一体化し、モールドしたものである。一方、部品パッケージ４２は、１０，１４，１８，２３ワットそれぞれに別個に用いられる部品のみを電力依存部品４５としてモールドしたものである。従って、図２に示す部品パッケージ４２は、形状は同一だが、例えば、１０ワット用、１４ワット用、１８ワット用、２３ワット用の４種類が存在する。部品パッケージ４２をパッケージ装着口４１から矢印Ａの方向にスライドして挿入することにより、部品パッケージ４２がカバー部４０にはめ込まれる。部品パッケージ４２には、矢印Ｂの方向に回動可能な接続端子４３が上下グローブ２カ所に取り付けられている。部品パッケージ４２がパッケージ装着口４１に対して挿入されると、接続端子４３は一端へこみ、接続端子４３がターミナル４６のくぼみにきた時点で再び飛び出し、接続端子４３がラッチ係合することにより部品パッケージ４２がカバー部４０に固定される。そして、接続端子４３とターミナル４６は、電気的に結合する。ターミナル４６は、基板３と電気的に結合されている。従って、部品パッケージ４２の内部にモールディングされた電力依存部品４５は、基板３及びインバータ回路部品７と電気的に結合し、点灯動作可能となる。
【００１６】
なお、図２に示した接続端子４３は、ラッチ係合する形を示しており、矢印Ａの方向に挿入された後は、引き出すことができない形状をしているが、接続端子４３の形状を、ラッチ形でなく、山形、或いは、カーブ形にすることにより部品パッケージ４２は、カバー部４０に対して着脱可能にできる。従って、一度製造された製品の明るさを部品パッケージ４２を変更することにより容易に変えることができる。
【００１７】
実施の形態２．
図４は、接続端子４３の代わりに、凹コネクタ４４を用いる場合を示している。
【００１８】
図５は、電球形蛍光ランプの上部断面図である。
【００１９】
凹コネクタ４４は、凸コネクタ４７と結合する。凸コネクタ４７は、基板３に電気的に結合されているため、電力依存部品４５と基板３及びインバータ回路部品７が電気的に結合する。
【００２０】
なお、コネクタの形状はどのような形状でもよい。また、図５に示すように、部品パッケージ４２にモールディングされている電力依存部品４５は、複数あっても構わない。
【００２１】
実施の形態３．
図６は、電解コンデンサ５を部品パッケージ４２に配置した場合を示している。
【００２２】
図６の場合は、電解コンデンサ５は部品パッケージ４２にモールディングされているのではなく、電解コンデンサ５の周囲に空気層（断熱層）を設けている。また、部品パッケージ４２に通気孔４８を設けることにより、部品パッケージ４２の内部の空気と外部の空気が流通できるようにし、更に、放熱効果を高めている。図６に示す場合は、インバータ回路部品７の内、熱に弱い電解コンデンサ５を、特に部品パッケージ４２により隔離する場合を示している。仮に、電解コンデンサ５が故障した場合でも、部品パッケージ４２を取り替えることにより新たな電解コンデンサ５を装着することができ、容易に修理をすることができる。
なお、電解コンデンサ５以外の故障しやすい部品を部品パッケージ４２に配置してもよい。
【００２３】
実施の形態４．
図示していないが、図３と図６を組み合わせて１つの部品パッケージ４２の中に電力依存部品４５と電解コンデンサ５を配置しても構わない。或いは、１つの電球形蛍光ランプに対して、図３の部品パッケージ４２と図６の部品パッケージ４２をそれぞれ個別に設けても構わない。
【００２４】
同様に、図５と図６を組み合わせて１つの部品パッケージ４２の中に電力依存部品４５と電解コンデンサ５を配置しても構わない。或いは、１つの電球形蛍光ランプに対して、図５の部品パッケージ４２と図６の部品パッケージ４２を個別に配置しても構わない。
【００２５】
上記説明においては、部品パッケージ４２に電力依存部品４５を配置する場合を説明したが、電力依存部品４５及びその他消費電力には依存しない部品を合わせて部品パッケージ４２に配置しても構わない。
【００２６】
また、カバー部４０の内部に部品をモールディングする場合を示したが、モールディングしない場合であっても構わない。
【００２７】
また、部品パッケージ４２の内部に電力依存部品４５をモールディングする場合を示したが、モールディングしない場合でもあっても構わない。
【図面の簡単な説明】
【００２８】
【図１】この発明の電球形蛍光ランプを示す図である。
【図２】この発明の部品パッケージ４２の一例を示す図である。
【図３】この発明の部品パッケージ４２の装着断面図である。
【図４】この発明の部品パッケージ４２の他の例を示す図である。
【図５】この発明の部品パッケージ４２の装着一例を示す図である。
【図６】この発明の部品パッケージ４２の装着一例を示す図である。
【図７】従来の電球形蛍光ランプを示す図である。
【符号の説明】
【００２９】
１  ランプ、２  グローブ、３  基板、４  カバー部、５  電解コンデンサ、６  口金、７  インバータ回路部品、４０  カバー部、４１  パッケージ装着口、４２  部品パッケージ、４３  接続端子、４４  凹コネクタ、４５  電力依存部品、４６  ターミナル、４７  凸コネクタ、４８  通気孔。
【図１】
2008218424.tif 000003
【図２】
2008218424.tif 000004
【図３】
2008218424.tif 000005
【図４】
2008218424.tif 000006
【図５】
2008218424.tif 000007
【図６】
2008218424.tif 000008
【図７】
2008218424.tif 000009